(57)【要約】ハンドヘルド装置の自動シャットダウンをサスペンドする方法が提供される。自動シャットダウンは、ハンドヘルド装置の予め指定された非活動状態の時間期間後に生ずる。方法は、自動シャットダウンをサスペンドするためのユーザ入力を受信する段階を含む。自動シャットダウンは、ハンドヘルド装置のユーザがハンドヘルド装置を手動でシャットダウンする場合にのみハンドヘルド装置がシャットダウンされるよう、ユーザ入力に応じて無効とされる。自動シャットダウンは、後にハンドヘルド装置が電源投入されると、予め指定された非活動状態の時間期間の後に生ずるよう自動的に再び有効とされる。
2005521968.tif 000002
【特許請求の範囲】
【請求項１】
ハンドヘルド装置の自動シャットダウンをサスペンドする方法であって、
前記自動シャットダウンは、前記ハンドヘルド装置の予め指定された非活動状態の時間期間の後に生じ、
前記方法は、
前記自動シャットダウンをサスペンドするためのユーザ入力を受信する段階と、
前記ハンドヘルド装置のユーザが前記ハンドヘルド装置を手動でシャットダウンする場合のみ前記ハンドヘルド装置がシャットダウンされるよう、前記ユーザ入力に応じて前記自動シャットダウンを無効とする段階と、
後に前記ハンドヘルド装置が電源投入されると、前記予め指定された非活動状態の時間期間の後に生ずるよう前記自動シャットダウンを自動的に再び有効とする段階とを含む、方法。
【請求項２】
前記自動シャットダウンの前の予め指示された時間に、前記自動シャットダウンが間もなくであるという警告を与える段階を更に含む、請求項１記載の方法。
【請求項３】
前記警告は視覚的な警告である、請求項２記載の方法。
【請求項４】
前記与える段階は、前記ユーザ入力を与えるオプションを含む視覚的な警告を警告画面に表示する段階を有する、請求項３記載の方法。
【請求項５】
前記警告は可聴警告である、請求項２記載の方法。
【請求項６】
前記与える段階は、前記可聴警告を聴こえるように再生する段階を含む、請求項５記載の方法。
【請求項７】
ハンドヘルド装置の自動シャットダウンをサスペンドする方法であって、
前記自動シャットダウンは、前記ハンドヘルド装置の予め指定された非活動状態の時間期間の後に生じ、
前記方法は、
前記ハンドヘルド装置のユーザに予め指示された時間期間内に前記自動シャットダウンが生じようとしていることを注意し、前記自動シャットダウンをサスペンドするためにユーザ入力を与えるオプションを含む、注意画面を表示する段階と、
前記ユーザ入力を受信する段階と、
前記ユーザ入力に応じて、また、前記予め指定された非活動状態の時間期間とは無関係に、前記自動シャットダウンを無効とする段階と、
前記ユーザから手動シャットダウン入力が受信された場合にのみ前記ハンドヘルド装置をシャットダウンする段階と、
後に前記ハンドヘルド装置が電源投入されると、前記予め指定された非活動状態の時間期間の後に前記自動シャットダウンが生ずるのを自動的に再び有効とする段階とを有する、方法。
【請求項８】
前記表示段階と共に、前記ユーザへ可聴警告を与える段階を更に有する、請求項７記載の方法。
【請求項９】
ハンドヘルド装置を自動的にシャットダウンする自動シャットダウン装置であって、
前記自動シャットダウンのサスペンドに対応するユーザ入力を受信する入力モジュールと、
前記ユーザ入力が受信されないときは第１の動作モードを行ない、前記ユーザ入力が受信されるときは第２の動作モードを行ない、前記第１の動作モードでは、予め指定された非活動状態の時間期間の後の前記ハンドヘルド装置の自動シャットダウンを実行し、前記第２の動作モードでは、前記予め指定された非活動状態の時間期間とは無関係に前記自動シャットダウンをサスペンドし、前記ハンドヘルド装置のユーザから手動シャットダウン入力が受信された場合にのみ前記ハンドヘルド装置をシャットダウンし、後に前記ハンドヘルド装置が電源投入されると、また、前記予め指定された非活動状態の時間期間の後に生ずるよう前記自動シャットダウンを自動的に再び有効とする、電力制御モジュールとを有する、自動シャットダウン装置。
【請求項１０】
前記ハンドヘルド装置の自動シャットダウンが予め指示された時間期間内に生ずることについての警告を、前記ユーザ入力が受信されず、前記予め指示された時間期間が経過するときに、前記予め指定された非活動状態の時間期間が経過しようとするときに与える、警告モジュールを更に含む、請求項９記載の自動シャットダウン装置。
【請求項１１】
前記警告は視覚的な警告であり、前記自動シャットダウン装置は、前記警告モジュールから前記警告を受信し、前記警告を表示するディスプレイを更に有する、請求項１０記載の自動シャットダウン装置。
【請求項１２】
前記ディスプレイは、前記視覚的な警告の表示と同時に前記ユーザ入力を与えるようオプションを更に表示する、請求項１１記載の自動シャットダウン装置。
【請求項１３】
前記警告は可聴警告であり、前記自動シャットダウン装置は、前記可聴アラームを可聴に再生する少なくとも１つのスピーカを更に有する、請求項１０記載の自動シャットダウン装置。
【請求項１４】
前記警告は、視覚的な警告及び可聴の警告のうちの少なくとも一方を含み、前記自動シャットダウン装置は、前記視覚的な警告を表示する少なくとも１つのディスプレイ及び前記可聴の警告を可聴に再生する少なくとも１つのスピーカを更に有する、請求項１０記載の自動シャットダウン装置。
【請求項１５】
前記視覚的な警告及び前記可聴の警告は、いずれも前記ユーザへ与えられる、請求項１４記載の自動シャットダウン装置。
【発明の詳細な説明】
【技術分野】
【０００１】
本発明は、概してハンドヘルド装置に係り、特に、殆どのハンドヘルド装置に設けられた自動シャットダウン特徴（自動オフ）の一時的なユーザによるサスペンドに関する。
【背景技術】
【０００２】
［関連出願への相互参照］
本願は、ここに参照として組み入れられる２００２年４月４日出願の「TEMPORARY USER SUSPENSION OF AUTOMATIC SHUTDOWN」なる名称の米国特許出願第１０／１１６，５７４号の米国特許法第１１９条に基づき優先権を主張する非仮出願である。
【０００３】
［背景技術］
殆どのハンドヘルド装置（例えば、携帯情報端末（ＰＤＡ）、携帯電話機等）は、「自動オフ」特徴とも称される「自動シャットダウン」特徴を含む。
【０００４】
図１は、従来技術によるハンドヘルド装置の自動オフ設定画面１００を示す図である。自動オフ設定画面１００は、一般的には、ユニットがバッテリ電源１１０に頼っているとき、及び、ユニットが外部電源１２０に接続されているとき、別の自動オフ時間遅延を設定するオプションを含む。自動オフ設定画面１００は、一般的には、残る電力を示す電力グラフ１３０を含む。このような特徴は、ＰＤＡ、電子書籍、ラップトップコンピュータ、及び他のハンドヘルド装置に一般的に見られる。
【０００５】
幾つかの自動オフ特徴は、ユーザが特徴を永久的に無効とすることを可能とし、従ってハンドヘルド装置は、非活動状態の期間の後は自分自身でオフになることはない。他の自動オフ特徴は、ユーザが自動オフ時間遅延を長い時間期間に設定することを可能とし、従ってユニットは非活動状態からシャットダウンまでかなりの時間を待つこととなる。これらの解決策のいずれも、バッテリの消耗を回避するために通常は自動オフ特徴を使用することを望むが、自動オフの時間遅延をリセットする如何なる制御部も実際に操作することなくハンドヘルド装置の参照を必要とするタスクを自分が終えることができるよう自動オフ特徴の一時的なサスペンドを望むユーザにとって、好ましいものではない。自動オフ特徴を永久的に無効とすること、又は、時間遅延をより長い時間期間に設定することは望ましくなく、なぜならばいずれも、ユーザが現在のタスクを終えたときに電力設定を元に戻すために変えるよう装置の設定にアクセスすることを必要とするか、又はバッテリを後の時間に消耗させる危険があるからである。
【発明の開示】
【発明が解決しようとする課題】
【０００６】
従って、自動オフ特徴がハンドヘルド装置のユーザによって一時的に無効とされうるが、後の電源投入のときに再び有効とされる、ハンドヘルド装置用の自動オフ特徴を有することが望ましく非常に有利である。
【課題を解決するための手段】
【０００７】
上述の問題と、従来技術の他の関連する課題は、殆どのハンドヘルド装置に設けられた自動シャットダウン（自動オフ）特徴の一時的なユーザによるサスペンドに関連する本発明によって解決される。一時的なユーザによるサスペンドは、ハンドヘルド装置のユーザがハンドヘルド装置を手動でシャットダウンせねばならないよう自動オフ特徴を一時的に無効とし、それによりハンドヘルド装置が電源遮断された時間を制御する。しかしながら、後にハンドヘルド装置が電源投入されると、自動オフ特徴は自動的に再び有効とされる。
【０００８】
本発明の１つの面によれば、ハンドヘルド装置の自動シャットダウンをサスペンドする方法が提供される。自動シャットダウンは、ハンドヘルド装置の予め指定された非活動状態の時間期間の後に生ずる。方法は、自動シャットダウンをサスペンドするためのユーザ入力を受信する段階を有する。自動シャットダウンは、ハンドヘルド装置のユーザがハンドヘルド装置を手動でシャットダウンする場合のみハンドヘルド装置がシャットダウンされるよう、ユーザ入力に応じて無効とされる。自動シャットダウンは、後に前記ハンドヘルド装置が電源投入されると、予め指定された非活動状態の時間期間の後に生ずるよう自動的に再び有効とされる。
【０００９】
本発明の他の面によれば、ハンドヘルド装置を自動的にシャットダウンする自動シャットダウン装置が提供される。入力モジュールは、自動シャットダウンのサスペンドに対応するユーザ入力を受信する。電力制御モジュールは、ユーザ入力が受信されないときは第１の動作モードを行ない、ユーザ入力が受信されるときは第２の動作モードを行なう。第１の動作モードは、予め指定された非活動状態の時間期間の後のハンドヘルド装置の自動シャットダウンを実行するものである。第２の動作モードは、予め指定された非活動状態の時間期間とは無関係に自動シャットダウンをサスペンドし、ハンドヘルド装置のユーザから手動シャットダウン入力が受信された場合にのみハンドヘルド装置をシャットダウンし、後にハンドヘルド装置が電源投入されると、また、予め指定された非活動状態の時間期間の後に生ずるよう自動シャットダウンを自動的に再び有効とするものである。
【発明を実施するための最良の形態】
【００１０】
本発明の上述の及び他の面、特徴、利点については、添付の図面と共に読まれるべき、望ましい実施例の以下の詳細な説明から明らかとなろう。
【００１１】
本発明は、殆どのハンドヘルド装置に設けられた自動シャットダウン（自動オフ）特徴の一時的なユーザによるサスペンドに関する。一時的なユーザによるサスペンドは、ユーザがハンドヘルド装置を手動でシャットダウンせねばならないよう自動オフ特徴を一時的に無効とし、それによりハンドヘルド装置が電源遮断された時間を制御する。しかしながら、ハンドヘルド装置が続いて電源投入されると、自動オフ特徴は自動的に再び有効とされる。このように、ハンドヘルド装置のユーザは、自動オフ特徴のために時間遅延をリセットする必要なしに、それまで携わっていた活動を続けることができる。
【００１２】
本発明は、様々な形のハードウエア、ソフトウエア、ファームウエア、専用プロセッサ、又はそれらの組合せの様々な形で実施されうる。望ましくは、本発明は、ハードウエアとソフトウエアの組合せとして実施される。更に、ソフトウエアは、望ましくは、プログラム記憶媒体中に有形に具現化されるアプリケーションプログラムとして実施される。アプリケーションプログラムは、任意の適当なアーキテクチャを含む機械へアップロードされ、機械によって実行されうる。望ましくは、機械は、１つ又はそれ以上の中央処理装置（ＣＰＵ）、ランダムアクセスメモリ（ＲＡＭ）、及び入力／出力（Ｉ／Ｏ）インタフェースといったハードウエアを有するコンピュータプラットフォーム上で実施される。コンピュータプラットフォームはまた、オペレーティングシステム及びマイクロ命令コードを含む。本願に記載の様々な方法及び機能は、マイクロ命令コードの一部であっても、オペレーティングシステムを介して実行されるアプリケーションプログラムであっても（又はそれらの組合せであっても）よい。更に、追加的なデータ記憶装置及び印刷装置といった様々な他の周辺装置としてコンピュータプラットフォームに接続されうる。
【００１３】
更に、添付の図面に示す本発明を構成するシステムの構成要素及び方法の段階のうちの幾つかは望ましくはソフトウエア中で実施されるため、システムの構成要素（又は方法の段階）間の実際のつながりは、本発明のプログラムされ方に依存しうる。本願の教示するところにより、当業者は、本発明のこれらの及び同様の実施及び形態を考えることが可能となろう。
【００１４】
図２は、本発明の例示的な実施例による、本発明が適用されうるハンドヘルド装置２００を示すブロック図である。ハンドヘルド装置２００は、システムバス２０４を介して他の構成要素に動作上結合される少なくとも１つのプロセッサ（ＣＰＵ）２０２を含む。読み出し専用メモリ（ＲＯＭ）２０６、ランダムアクセスメモリ（ＲＡＭ）２０８、ディスプレイアダプタ２１０、Ｉ／Ｏアダプタ２１２、ユーザインタフェースアダプタ２１４、及びサウンドアダプタ２８４は、システムバス２０４に動作上結合される。
【００１５】
ディスプレイ装置２１６は、ディスプレイアダプタ２１０によってシステムバス２０４に動作上結合される。ディスク記憶装置（例えば磁気又は光ディスク記憶装置）２１８は、Ｉ／Ｏアダプタ２１２によりシステムバス２０４に動作上結合される。
【００１６】
マウス２２０及びキーボード２２２は、ユーザインタフェースアダプタ２１４によりシステムバス２０４に動作上結合される。マウス２２０及びキーボード２２２は、システム２００へ情報を入力し、システム２２０から情報を出力するのに用いられる。
【００１７】
少なくとも１つのスピーカ（以下、「スピーカ」）２８５は、サウンドアダプタ２８４によりシステムバス２０４に動作上結合される。
【００１８】
ハンドヘルド装置２００は、自動オフ装置２９９を更に含む。
【００１９】
ハンドヘルド装置２００の上述の要素は、単に例示的なものであって、本発明は、上述の要素の全て又は全てより少ないもの、並びに、ここに示さない他の要素を有するハンドヘルド装置に適用されてもよい。即ち、本願に示す本発明の教示するものが与えられているとき、当業者は、本発明の趣旨及び範囲を維持しつつ、図２のハンドヘルド装置２００の上述及び他の形態を予期するであろう。
【００２０】
図３は、本発明の例示的な実施例によるハンドヘルド装置用の自動シャットダウン装置３００を示すブロック図である。自動シャットダウン装置３００は、警告モジュール３１０、入力モジュール３２０、電力制御モジュール３３０、タイマ３４０、ディスプレイ３５０、及び少なくとも１つのスピーカ（以下、「スピーカ」３６０）を含み、全てはバス３９０によって相互接続されている。タイマ３４０は、タイミング機能を行う。警告モジュール３１０は、ハンドヘルド装置の自動シャットダウンが予め指定された時間期間（例えば１分間）内に生ずるであろうことを警告する。ディスプレイ３５０は、警告が視覚的な警告を含むときは、少なくとも警告を表示する。スピーカ３６０は、警告が可聴の警告を含むときは、可聴に警告を再生する。入力モジュール３２０は、自動シャットダウンのサスペンドに関連するユーザ入力を受信する。電力制御モジュール３３０は、予め指定された非活動状態の時間期間の後、ハンドヘルド装置の自動シャットダウンを実行する。更に、電力制御モジュール３３０は、ユーザが手動でハンドヘルド装置をシャットダウンした場合にのみハンドヘルド装置がシャットダウンされるよう、ユーザの有力に応じて自動シャットダウンを一時的に無効とする。しかしながら、電力制御モジュール３３０は、後にハンドヘルド装置が電源投入されると、予め指定された非活動状態の時間期間後に自動シャットダウンが生ずるのを再び可能とする。
【００２１】
図４は、本発明の例示的な実施例による、ハンドヘルド装置のユーザによって一時的にサスペンドされることが可能な自動オフ特徴を有するハンドヘルド装置を用いた方法を示す。
【００２２】
ハンドヘルド装置は、電源投入される（ステップ４１０）。予め指示された時間期間後、非活動状態により、ハンドヘルド装置が予め指定された時間（例えば１分以内、間もなく、等）内に電源遮断されることがスケジュールされていることをハンドヘルド装置のユーザに知らせる警告が与えられる（ステップ４２０）。非活動状態についての予め指定された時間期間は、工場で予め設定されてもよく、及び／又は、ハンドヘルド装置のユーザによって設定／優先されてもよい。警告は、ディスプレイを介してユーザへ与えられる視覚警告、及び／又は、１つ又はそれ以上のスピーカを介してユーザへ与えられる可聴警告を含む。本発明の望ましい実施例では、警告は、ハンドヘルド装置に表示される注意画面として示される少なくとも１つの視覚警告を含む。更に、注意画面は、自動オフ特徴を一時的にサスペンドするオプション（例えば自動オフサスペンド入力）を含むことが望ましい。
【００２３】
自動オフ特徴を一時的にサスペンドする「自動オフサスペンド」入力が受信される（ステップ４３０）。即ち、「自動オフサスペンド」入力は、ハンドヘルド装置に作動状態を維持しそれ自身をシャットダウンしないよう命令する。更に、「自動オフサスペンド」は、後にハンドヘルド装置が電源投入されると、予め指定された非活動状態の時間期間の後にハンドヘルド装置を自動的にシャットダウンするよう自動オフ特徴を再び可能とするようハンドヘルド装置に命令する。従って、ハンドヘルド装置のユーザは、自動オフ特徴のための時間遅延をリセットする必要なしに、自分たちが携わっていたいかなる活動も続けることができる。そのかわり、ハンドヘルド装置のユーザが、そのために自動オフがサスペンドされた活動を終えたとき、ハンドヘルド装置を手動でシャットダウンするために、ハンドヘルド装置のユーザによって電源遮断入力が手動で与えられる（ステップ４４０）。
【００２４】
後にハンドヘルド装置が電源投入されると、自動オフ特徴が再び有効とされる（ステップ４５０）。自動オフ特徴を再び有効とすることにより、ハンドヘルド装置は、予め指定された時間期間の非活動状態状態が生じステップ４５０において自動オフ特徴が再び有効とされたとき以来ユーザ入力が与えられていなければ、自動的にシャットダウンする。
【００２５】
本発明のために、ユーザ入力が受信されておらず、予め指定された非活動状態の時間期間の後にハンドヘルド装置が自動的にシャットダウンすることが許されるときは、第１の動作モードであると考えられ、ユーザ入力が受信されており、自動オフが一時的にサスペンドされているときは、第２の動作モードであると考えられうる。本発明は、ハンドヘルド装置が、単純にユーザ入力を与えることにより、ハンドヘルド装置が第１の動作モードから第２の動作モードへ容易に変化することを可能とする。
【００２６】
本発明について、添付の図面を参照して説明したが、本発明は、これらの厳密な実施例に限られるものではなく、本発明の趣旨又は範囲を逸脱することなく当業者によれば様々な他の変更及び変形がなされうることが理解されるべきである。全てのこのような変更及び変形は、添付の特許請求の範囲に定義される本発明の範囲内に含まれることが意図される。
【図面の簡単な説明】
【００２７】
【図１】従来技術による、ハンドヘルド装置の自動オフ設定画面を示す図である。
【図２】本発明の例示的な実施例による、本発明が適用されうるハンドヘルド装置２００を示すブロック図である。
【図３】本発明の例示的な実施例による、ハンドヘルド装置用の自動シャットダウン装置３００を示すブロック図である。
【図４】本発明の例示的な実施例による、ハンドヘルド装置のユーザによって一時的にサスペンドされることが可能な自動オフ特徴を有するハンドヘルド装置を使用する方法を示すフローチャートである。
【図１】
2005521968.tif 000003
【図２】
2005521968.tif 000004
【図３】
2005521968.tif 000005
【図４】
2005521968.tif 000006
【国際調査報告】
2005521968.tif 000007